Podtech/llm-jp-corpus-v4-ja_patent huggingface dataset:
【手続補正書】
【提出日】平成29年4月3日(2017.4.3)
【手続補正１】
【補正対象書類名】明細書
【補正対象項目名】０００９
【補正方法】変更
【補正の内容】
【０００９】
上記課題に鑑みて本発明の一態様に係る眼科装置は、
被検眼の眼底の断層画像を取得する取得手段と、
前記取得された断層画像の比較対象となる他の断層画像に基づく比較範囲を、前記取得された断層画像および前記眼底の眼底画像の少なくとも一つと対応付けて表示手段に表示させる表示制御手段と、を備えることを特徴とする。
【手続補正２】
【補正対象書類名】特許請求の範囲
【補正対象項目名】全文
【補正方法】変更
【補正の内容】
【特許請求の範囲】
【請求項１】
被検眼の眼底の断層画像を取得する取得手段と、
前記取得された断層画像の比較対象となる他の断層画像に基づく比較範囲を、前記取得された断層画像および前記眼底の眼底画像の少なくとも一つと対応付けて表示手段に表示させる表示制御手段と、
を備えることを特徴とする眼科装置。
【請求項２】
前記表示制御手段は、前記取得手段によってあらかじめ定められた前記眼底上の走査範囲の断層画像を複数取得する際に前記表示手段に調整画面を表示させ、
前記調整画面は、調整用の眼底画像と断層画像との少なくとも一方を表示し、
前記表示制御手段は、前記調整用の眼底画像と断層画像との少なくとも一方に前記断層画像取得後に比較対象となる前記比較範囲を前記表示手段に表示させることを特徴とする請求項１に記載の眼科装置。
【請求項３】
前記断層画像において特徴領域を検出する特徴領域検出手段を更に備え、
前記表示制御手段は、前記検出された特徴領域の位置に基づいて、前記比較範囲の前記断層画像および前記眼底画像における重ね合わせの位置を定めることを特徴とする請求項１又は２に記載の眼科装置。
【請求項４】
前記表示制御手段は、検査者が入力する取得条件に基づいて前記比較範囲の表示および非表示を決定することを特徴とする請求項１乃至３の何れか一項に記載の眼科装置。
【請求項５】
前記取得された断層画像の取得範囲に対して前記比較範囲が内包されるか否かを判定する判定手段を更に備えることを特徴とする請求項１乃至４の何れか一項に記載の眼科装置。
【請求項６】
前記取得された断層画像の取得範囲は前記比較範囲よりも大きいことを特徴とする請求項１乃至５の何れか一項に記載の眼科装置。
【請求項７】
前記取得された断層画像の取得範囲の前記眼底での位置を変更する変更手段を更に備えることを特徴とする請求項１乃至６の何れか一項に記載の眼科装置。
【請求項８】
前記比較対象となる他の断層画像は標準眼の画像であることを特徴とする請求項１乃至７の何れか一項に記載の眼科装置。
【請求項９】
前記比較対象となる他の断層画像は過去検査における断層画像であることを特徴とする請求項１乃至７の何れか一項に記載の眼科装置。
【請求項１０】
前記比較範囲の内の断層画像に鏡像を含まないことを判定する折り返し判定手段を更に備えることを特徴とする請求項１乃至９の何れか一項に記載の眼科装置。
【請求項１１】
被検眼の眼底の断層画像を取得する工程と、
前記取得された断層画像の比較対象となる他の断層画像に基づく比較範囲を、前記取得された断層画像および前記眼底の眼底画像の少なくとも一つと対応付けて前記表示手段に表示させる工程と、
を含むことを特徴とする眼科装置の制御方法。
【請求項１２】
請求項１１に記載の眼科装置の制御方法の各工程をコンピュータに実行させることを特徴とするプログラム。
【手続補正書】
【提出日】平成29年3月30日(2017.3.30)
【手続補正１】
【補正対象書類名】明細書
【補正対象項目名】００１５
【補正方法】変更
【補正の内容】
【００１５】
なお、収納部９あるいは連結部には、磁気ユニット（例えば、磁石部材２ｂ）が備えられてもよい。磁気ユニットは、例えば、筺体１ａと収納部９との間に磁気を発生させてもよい。収納部９は、磁気ユニットによって発生された磁力によって筺体１ａと着脱可能に連結されてもよい。
【手続補正２】
【補正対象書類名】明細書
【補正対象項目名】００１８
【補正方法】変更
【補正の内容】
【００１８】
なお、収納部９は、応答ユニットを横方向に載置可能な載置部９ａ（図６参照）を備えてもよい。例えば、載置部９ａは、応答ユニットの長手方向が本装置１の横方向になるように応答ユニットを載置できてもよい。これによって、被検者または検者は、例えば、収納部９から応答ユニットを取り出しやすくなる。
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
外周面に複数の図柄が付された複数の回転リールと、
複数の回転リールを回転させるためのスタートスイッチと、
回転中の回転リールを個々に停止させるための複数の停止スイッチと、
所定の図柄組合せが対応付けられた役について、遊技毎に、当選か否かの役抽選を行う役抽選手段と、
スタートスイッチの操作に基づいて回転リールを回転させ、役抽選手段による役抽選の結果及び停止スイッチの操作に基づいて回転リールを停止させる制御を行うリール制御手段と、
スタートスイッチの操作を契機に、遊技の進行が停止した状態となるフリーズを設定するフリーズ設定手段と、
フリーズ設定手段がフリーズを設定している間に、リール制御手段が回転リールを回転させた後に、回転している回転リールが所定の停止態様で停止可能な遊技機であって、
所定の停止態様に応じて、所定の記憶値を更新する更新手段と、
記憶値に基づいて遊技者に特典を付与可能な特典付与手段と、を備えたことを特徴とする遊技機。
【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
レーザ光源から出射されたレーザ光を３次元的に走査させる走査光学系を備え、予め設定された治療領域に対応する各ターゲット位置にレーザ光を照射して患者眼の処置を行うための眼科用レーザ手術装置であって、
前記患者眼の水晶体を含む前記治療領域を予めプランニングするために取得された前記患者眼の構造に関する第１のデータセットと、前記治療領域がプランニングされた後、プランニングされた治療領域に基づいて前記レーザ光による処置を行う際に取得された前記患者眼の構造に関する第２のデータセットと、を取得し、
前記第１のデータセットと前記第２のデータセットとを比較し、前記患者眼の構造変化情報、前記患者眼の視線方向の変化情報の少なくともいずれかである前記患者眼の変化情報を得る変化情報取得手段を備えることを特徴とする眼科用レーザ手術装置。
【請求項２】
前記患者眼に呈示する固視標の呈示位置を移動させ、前記患者眼の固視方向を誘導するための固視誘導ユニットと、
前記変化情報取得手段によって取得された前記患者眼の視線方向の変化情報に基づいて前記固視誘導ユニットを制御し、プランニングに用いる前記第１のデータセットを取得したときに対する前記患者眼の視線方向の変化を補正する制御手段と、さらに備えることを特徴とする請求項１の眼科用レーザ手術装置。
【請求項３】
前記第１のデータセットに基づいてプランニングされた前記治療領域と、前記変化情報取得手段によって取得された前記患者眼の変化情報と、に基づいて前記レーザ光の照射位置を設定する設定手段を備えることを特徴とする請求項１または２の眼科用レーザ手術装置。
【手続補正２】
【補正対象書類名】明細書
【補正対象項目名】０００８
【補正方法】変更
【補正の内容】
【０００８】
レーザ光源から出射されたレーザ光を３次元的に走査させる走査光学系を備え、予め設定された治療領域に対応する各ターゲット位置にレーザ光を照射して患者眼の処置を行うための眼科用レーザ手術装置であって、前記患者眼の水晶体を含む前記治療領域を予めプランニングするために取得された前記患者眼の構造に関する第１のデータセットと、前記治療領域がプランニングされた後、プランニングされた治療領域に基づいて前記レーザ光による処置を行う際に取得された前記患者眼の構造に関する第２のデータセットと、を取得し、前記第１のデータセットと前記第２のデータセットとを比較し、前記患者眼の構造変化情報、前記患者眼の視線方向の変化情報の少なくともいずれかである前記患者眼の変化情報を得る変化情報取得手段を備えることを特徴とする。
【手続補正書】
【提出日】平成29年3月23日(2017.3.23)
【手続補正１】
【補正対象書類名】明細書
【補正対象項目名】発明の名称
【補正方法】変更
【補正の内容】
【発明の名称】情報処理装置、情報処理方法及びプログラム
【手続補正２】
【補正対象書類名】明細書
【補正対象項目名】０００１
【補正方法】変更
【補正の内容】
【０００１】
本発明は、情報処理装置、情報処理方法及びプログラムに関する。
【手続補正３】
【補正対象書類名】明細書
【補正対象項目名】０００４
【補正方法】変更
【補正の内容】
【０００４】
しかしながら、上述した特許文献１に記載の技術では、走行経路上にユーザの状態として、その時に計測された計測値を表示しているのみであるため、ユーザの状態が、どのような外的要因の影響を受けて、どのように変化したか等をわかりやすく表示することが困難である。
即ち、従来の技術においては、移動経路において外的要因の影響を受けるユーザの状態をわかりやすく表示することが困難であった。
【手続補正４】
【補正対象書類名】明細書
【補正対象項目名】０００５
【補正方法】変更
【補正の内容】
【０００５】
本発明は、このような状況に鑑みてなされたものであり、移動経路において外的要因の影響を受けるユーザの状態をよりわかりやすく表示することを目的とする。
【手続補正５】
【補正対象書類名】明細書
【補正対象項目名】０００６
【補正方法】変更
【補正の内容】
【０００６】
上記目的を達成するため、本発明の一態様の情報処理装置は、
位置情報を取得する位置情報取得手段と、
ユーザの生体情報を取得する生体情報取得手段と、
前記ユーザの生体情報を変化しうる外的要因を取得する外的要因取得手段と、
前記ユーザの移動経路上における前記位置情報に対応する位置に、前記生体情報と前記外的要因とが対応付けて表示されるマップを表示手段に表示させる表示制御手段と、
を備えることを特徴とする。
【手続補正６】
【補正対象書類名】明細書
【補正対象項目名】０００７
【補正方法】変更
【補正の内容】
【０００７】
本発明によれば、移動経路において外的要因の影響を受けるユーザの状態をよりわかりやすく表示することができる。
【手続補正７】
【補正対象書類名】特許請求の範囲
【補正対象項目名】全文
【補正方法】変更
【補正の内容】
【特許請求の範囲】
【請求項１】
位置情報を取得する位置情報取得手段と、
ユーザの生体情報を取得する生体情報取得手段と、
前記ユーザの生体情報を変化しうる外的要因を取得する外的要因取得手段と、
前記ユーザの移動経路上における前記位置情報に対応する位置に、前記生体情報と前記外的要因とが対応付けて表示されるマップを表示手段に表示させる表示制御手段と、
を備えることを特徴とする情報処理装置。
【請求項２】
前記生体情報は、ユーザの身体状態に関する身体情報と、該身体状態の変化の状態に関する変化情報を含む、
ことを特徴とする請求項１に記載の情報処理装置。
【請求項３】
前記表示制御手段は、前記ユーザの移動経路上における前記位置情報に対応する位置に、前記身体情報、前記変化情報、及び前記外的要因が対応付けて表示されるマップを前記表示手段に表示させる
ことを特徴とする請求項２に記載の情報処理装置。
【請求項４】
前記生体情報取得手段は、前記変化情報として、時系列に取得された前記身体情報の変曲点に関する情報を取得することを特徴とする請求項２又は３に記載の情報処理装置。
【請求項５】
前記生体情報取得手段によって前記変化情報が取得されたときの前記身体情報及び前記外的要因を含むラベルを生成するラベル生成手段をさらに備え、
前記表示制御手段は、前記変化情報が取得された位置に基づいて、前記ラベル生成手段によって生成された前記ラベルを前記マップに表示することを特徴とする請求項２から４の何れか１項に記載の情報処理装置。
【請求項６】
前記外的要因取得手段は、前記外的要因として、自装置において発生したイベントに基づく外的要因又は、前記ユーザの移動経路の走行環境に基づく外的要因を取得することを特徴とする請求項２から５のいずれか１項に記載の情報処理装置。
【請求項７】
前記走行環境は、勾配、高低差、曲がり角に関する環境を含む、
ことを特徴とする請求項６に記載の情報処理装置。
【請求項８】
前記イベントに基づく外的要因は、自装置によるメール受信又は電話着信を含む、
ことを特徴とする請求項６又は７に記載の情報処理装置。
【請求項９】
前記生体情報取得手段は、前記ユーザの脈拍又は血圧の情報を前記身体情報として取得する、ことを特徴とする請求項２から８の何れか１項に記載の情報処理装置。
【請求項１０】
位置情報を取得する位置情報取得ステップと、
ユーザの生体情報を取得する生体情報取得ステップと、
前記ユーザの生体情報を変化しうる外的要因を取得する外的要因取得ステップと、
前記ユーザの移動経路上における前記位置情報に対応する位置に、前記生体情報と前記外的要因とが対応付けて表示されるマップを表示手段に表示させる表示制御ステップと、
を含むことを特徴とする情報処理方法。
【請求項１１】
コンピュータを、
位置情報を取得する位置情報取得手段と、
ユーザの生体情報を取得する生体情報取得手段、
前記ユーザの生体情報を変化しうる外的要因を取得する外的要因取得手段、
前記ユーザの移動経路上における前記位置情報に対応する位置に、前記生体情報と前記外的要因とが対応付けて表示されるマップを表示手段に表示させる表示制御手段、
として機能させることを特徴とするプログラム。
【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
遊技媒体を用いて遊技が行われる遊技機において、
遊技に関する演出動画を表示可能な複数の表示面と、
前記複数の表示面の何れよりも前方に配置され、該複数の表示面の前方で待機状態から移動状態に変化可能な可動装飾手段と、
を具備していることを特徴とする遊技機。
【手続補正２】
【補正対象書類名】明細書
【補正対象項目名】０００７
【補正方法】変更
【補正の内容】
【０００７】
本発明は、
遊技媒体を用いて遊技が行われる遊技機において、
遊技に関する演出動画を表示可能な複数の表示面（第一動画表示体３３０１、第二動画表示体３３０２）と、
前記複数の表示面の何れよりも前方に配置され、該複数の表示面の前方で待機状態から移動状態に変化可能な可動装飾手段（裏前装飾体３５１０）と、
を具備していることを特徴とする。
また、本発明とは別の発明として、以下の手段を参考的に開示する。
手段１：遊技機において、
「遊技者の操作によって遊技媒体が打込まれる遊技領域と、
該遊技領域の後端を区画する平板状の遊技パネルと、
該遊技パネルの前面に取付けられており、前記遊技領域内に打込まれた遊技媒体の受入れを契機として、遊技者が有利となる有利遊技状態の発生を含む抽選結果の抽選が行われる始動口と、
該始動口への遊技媒体の受入れにより抽選された前記抽選結果の示唆を含む演出動画を、正面視前記遊技領域内の略中央に後方から前方に向かって投射し、前記遊技パネルの後側に取付けられている動画投射装置と、
該動画投射装置からの演出動画の投射により前記遊技パネルを通して遊技者側から演出動画を視認可能に表示可能な平板状の第一動画表示体と、
該第一動画表示体とは異なる演出的形状に形成されており、前記動画投射装置からの演出動画の投射により前記遊技パネルを通して遊技者側から演出動画を視認可能に表示可能な第二動画表示体と、
抽選された前記抽選結果に応じて、正面視前記遊技領域の略中央に位置している前記第一動画表示体と正面視前記遊技領域の略中央よりも外方に位置している前記第二動画表示体とを夫々移動させて差替える差替装置と
を具備している」ものであることを特徴とする。
【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
被検眼を撮影するための眼科撮影装置であって、
第１の撮像方式を用いて前記被検眼を撮影することによって前記被検眼の第１画像を撮影するための第１撮影光学系と、
前記第１の撮像方式とは異なる第２の撮像方式を用いて前記被検眼を撮影することによって前記被検眼の第２画像を撮影するための第２撮影光学系と、
前記第１の撮像方式及び前記第２の撮像方式とは異なる第３の撮像方式を用いて前記被検眼を撮影することによって前記被検眼の正面画像を撮影するための第３撮影光学系と、を備え、
前記第１撮影光学系によって前記第１画像を取得する際に、前記第３撮影光学系によって、第１正面画像を取得し、前記第２撮影光学系によって、前記第２画像を取得する際に、前記第３撮影光学系によって、前記第１正面画像とは異なる正面画像である第２正面画像を取得する制御手段と、  
前記第１正面画像と、前記第２正面画像と、の位置ずれ量を検出し、前記位置ずれ量に基づいて、前記第１画像と、前記第２画像とを対応付ける画像処理手段と、
を備えることを特徴とする眼科撮影装置。
【請求項２】
請求項１の眼科撮影装置において、
前記第３撮影光学系は、前記被検眼の眼底を赤外光により照明するための赤外照明光学系と、前記赤外光により照明された前記被検眼の眼底の正面画像を撮影するための赤外撮影光学系と、有し、前記第１正面画像及び前記第２正面画像として、前記被検眼の赤外眼底画像を撮影するための撮影光学系であることを特徴とする眼科撮影装置。
【請求項３】
請求項１又は２の眼科撮影装置において、
前記第１撮影光学系は、前記被検眼の眼底の断層画像を光干渉の技術を用いて得るためのＯＣＴ光学系を有し、前記第１画像として、前記被検眼の眼底の断層画像を撮影するための撮影光学系であって、
前記第２撮影光学系は、前記被検眼の眼底を可視光により照明するための可視照明光学系と、前記可視光により照明された前記被検眼の眼底の正面画像を撮影するための可視撮影光学系と、を有し、前記第２画像として、前記被検眼のカラーの眼底画像を撮影するための撮影光学系であることを特徴とする眼科撮影装置。
【請求項４】
被検眼を撮影するため眼科撮影方法であって、
第１の撮像方式を用いて前記被検眼を撮影することによって前記被検眼の第１画像を取得する第１画像取得ステップと、
前記第１の撮像方式とは異なる第２の撮像方式を用いて前記被検眼を撮影することによって前記被検眼の第２画像を取得する第２画像取得ステップと、
前記第１の撮像方式及び前記第２の撮像方式とは異なる第３の撮像方式を用いて前記被検眼を撮影することによって前記被検眼の正面画像を取得するための第３画像取得ステップであって、前記第１画像を取得する際に、第１正面画像を取得し、前記第２正面画像を取得する際に、前記第１正面画像とは異なる正面画像である第２正面画像を取得する第３画像取得ステップと、
前記第１正面画像と、前記第２正面画像と、の位置ずれ量を検出し、前記位置ずれ量に基づいて、前記第１画像と、前記第２画像とを対応付ける画像処理ステップと、
を備えることを特徴とする眼科撮影方法。
【請求項５】
被検眼を撮影するため眼科撮影装置の動作を制御する制御装置において実行される眼科撮影プログラムであって、
前記制御装置のプロセッサによって実行される
第１の撮像方式を用いて前記被検眼を撮影することによって前記被検眼の第１画像を取得する第１画像取得ステップと、
前記第１の撮像方式とは異なる第２の撮像方式を用いて前記被検眼を撮影することによって前記被検眼の第２画像を取得する第２画像取得ステップと、
前記第１の撮像方式及び前記第２の撮像方式とは異なる第３の撮像方式を用いて前記被検眼を撮影することによって前記被検眼の正面画像を取得するための第３画像取得ステップであって、前記第１画像を取得する際に、第１正面画像を取得し、前記第２正面画像を取得する際に、前記第１正面画像とは異なる正面画像である第２正面画像を取得する第３画像取得ステップと、
前記第１正面画像と、前記第２正面画像と、の位置ずれ量を検出し、前記位置ずれ量に基づいて、前記第１画像と、前記第２画像とを対応付ける画像処理ステップと、
を前記制御装置に実行させることを特徴とする眼鏡装用画像解析プログラム。
【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
第１面上に、第１電極、有機ＥＬ層、及び第２電極が順に積層されて構成される有機ＥＬ素子の発光領域を備える複数の画素を備える第１基板と、
前記第１電極上に配置され、前記発光領域に対応する位置に前記有機ＥＬ層と接続される前記第１電極を開口する開口部を備える第１絶縁層と、
前記第１絶縁層上の前記開口部の形成されていない領域に所定の高さを有して配置される第２絶縁層と、
前記第２電極上に、前記有機ＥＬ素子を覆って配置される封止膜と、を備え、
前記有機ＥＬ層は、前記第１絶縁層及び前記第２絶縁層上に配置されて前記第２絶縁層の側面上には配置されない領域を含み、
前記第２電極は、前記開口部に重畳する領域、前記第２絶縁層の側面に重畳する領域、及び前記第２絶縁層の上面に重畳する領域に亘って連続的に設けられ、
前記第２絶縁層の側面上の前記有機ＥＬ層の配置されない領域において、前記第２絶縁層と、前記第２電極または前記封止膜とが接することを特徴とする有機ＥＬ表示装置。
【請求項２】
前記封止膜は、窒化シリコンまたは酸化シリコンを含むことを特徴とする請求項１に記載の有機ＥＬ表示装置。
【請求項３】
前記第１絶縁層及び前記第２絶縁層は、樹脂を含むことを特徴とする請求項１または請求項２に記載の有機ＥＬ表示装置。
【請求項４】
前記第１基板と対向して配置される第２基板を有し、
前記第１基板及び第２基板は、樹脂を含むことを特徴とする請求項１乃至請求項３のいずれか一項に記載の有機ＥＬ表示装置。
【請求項５】
前記発光領域は、前記第１基板上に複数設けられ、
前記第２絶縁層は、複数の前記発光領域に囲まれた領域に設けられることを特徴とする、請求項１乃至請求項４のいずれか一項に記載の有機ＥＬ表示装置。
【請求項６】
前記発光領域は、前記第１基板上に複数設けられ、
前記第２絶縁層は、複数の前記発光領域を囲むように設けられることを特徴とする、請求項１乃至請求項４のいずれか一に記載の有機ＥＬ表示装置。
【請求項７】
第１面上に、第１電極、有機ＥＬ層、及び第２電極が順に積層されて構成される有機ＥＬ素子の発光領域を備える複数の画素を備える第１基板と、
前記第１電極上に配置され、前記発光領域に対応する位置に前記有機ＥＬ層と接続される前記第１電極を開口する第１開口部を備える第１絶縁層と、
前記第２電極上に、前記有機ＥＬ素子を覆って配置される封止膜と、を備え、
前記有機ＥＬ層は、前記第１絶縁層上に配置されて、前記発光領域以外の領域に前記第１絶縁層を開口する第２開口部を備え、
前記第２電極は、前記第１開口部に重畳する領域、及び前記第２開口部に亘って連続的に設けられ、
前記有機ＥＬ層の前記第２開口部を介して、前記第１絶縁層と、前記第２電極または前記封止膜とが接することを特徴とする有機ＥＬ表示装置。
【請求項８】
前記封止膜は、窒化シリコンまたは酸化シリコンを含むことを特徴とする請求項７に記載の有機ＥＬ表示装置。
【請求項９】
前記第１絶縁層は、樹脂を含むことを特徴とする請求項７または請求項８に記載の有機ＥＬ表示装置。
【請求項１０】
前記第１基板と対向して配置される第２基板を有し、
前記第１基板及び第２基板は、樹脂を含むことを特徴とする請求項７乃至請求項９のいずれか一項に記載の有機ＥＬ表示装置。
【請求項１１】
前記発光領域は、前記第１基板上に複数設けられ、
前記第２開口部は、複数の前記発光領域に囲まれた領域に設けられることを特徴とする、請求項７乃至請求項１０のいずれか一項に記載の有機ＥＬ表示装置。
【請求項１２】
前記発光領域は、前記第１基板上に複数設けられ、
前記第２開口部は、複数の前記発光領域を囲むように設けられることを特徴とする、請求項７乃至請求項１０のいずれか一に記載の有機ＥＬ表示装置。
【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
光透過率を有する放熱体と、
前記放熱体の上に配置された基板及び前記基板上に配置された発光素子を含む光源モジュールと、
前記光源モジュールの上に配置されて前記光源モジュールからの光のうち一部を外部に放射するカバーと、
を含み、
前記カバーは、前記発光素子からの光のうち一部を反射する内面を有し、前記放熱体は前記カバーの内面からの光の入射を受け、前記入射された光のうち一部を外部に放射し、
前記放熱体は、
前記光源モジュールが配置された上部、前記上部に連結された下部及び収納部を含む第１放熱部と、
前記第１放熱部の収納部に配置される内側部と、前記第１放熱部の下部を取り囲む外側部とを含む第２放熱部と、
を含み、
前記第２放熱部は前記光透過率を有する、照明装置。
【請求項２】
前記カバーは、前記基板上に配置された第１カバー部と、前記第１カバー部の外周に連結された第２カバー部とを含み、
前記第１カバー部の光反射率は、前記第２カバー部の光反射率より大きく、
前記第１カバー部は、前記発光素子からの光のうち少なくとも一部を前記基板の上面の外に反射する光学部を含む、請求項１に記載の照明装置。
【請求項３】
前記第２カバー部は、前記発光素子からの光のうち少なくとも一部を前記基板の上面の外に反射する光学部をさらに含む、請求項２に記載の照明装置。
【請求項４】
前記第１カバー部の光拡散率は、前記第２カバー部の光拡散率より大きい、請求項２又は３に記載の照明装置。
【請求項５】
前記光学部はプリズム形状である、請求項２又は３に記載の照明装置。
【請求項６】
前記第２放熱部の外側部は、前記カバーの内面から入射された光のうち一部を外部に放射する、請求項１ないし５のいずれか１項に記載の照明装置。
【請求項７】
前記第２放熱部の外側部は、前記外側部の上端から延びて、前記カバーの内面から入射された光のうち一部を外部に放射する外周部を含み、
前記第１放熱部の上部の上面は、前記外周部の上面と同一の平面上に配置された、請求項６に記載の照明装置。
【請求項８】
前記第１放熱部は第１熱伝導率を有し、前記第２放熱部は第２熱伝導率を有して、前記第１熱伝導率が前記第２熱伝導率より大きく、前記第１放熱部と前記第２放熱部は一体である、請求項１ないし７のいずれか１項に記載の照明装置。
【請求項９】
前記放熱体と結合するベースと、
前記第２放熱部の内側部の内部に配置された電源提供部と、
をさらに含み、
前記電源提供部は、前記ベースと電気的に連結された支持基板及び前記支持基板上に配置された複数の部品を含み、
前記第２放熱部は、前記ベースと結合するための絶縁材質の連結部をさらに含み、
前記連結部は、少なくとも一つ以上の孔を有し、
前記支持基板は、前記連結部の孔に挿入される突出部を有する、請求項１ないし８のいずれか１項に記載の照明装置。
【請求項１０】
前記第２放熱部の内部に配置された電源提供部、をさらに含み、
前記電源提供部は、支持基板及び前記支持基板上に配置された複数の部品を含み、
前記第２放熱部は、前記電源提供部を収納する収納部を有し、
前記第２放熱部は、前記第２放熱部の収納部に配置され、前記支持基板の一側部を両側からガイドする第１ガイド部と第２ガイド部を含み、
前記第１ガイド部と前記第２ガイド部との間の間隔は、前記第２放熱部の収納部の入口から前記第２放熱部の収納部の底面に行くほど狭くなる、請求項１ないし８のいずれか１項に記載の照明装置。
【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
複数の組み合わせ回路、及び複数段のフリップフロップを有するシフトレジスタを有し、
前記フリップフロップは、第１の記憶回路乃至第３の記憶回路を有し、
前記第１の記憶回路は、前記複数の組み合わせ回路のうち、いずれか１つのレジスタとしての機能を有し、
前記第２の記憶回路は、前記第１の記憶回路のデータを前記第３の記憶回路に書き込む機能と、前記第３の記憶回路のデータを前記第１の記憶回路に書き込む機能と、を有し、
前記第３の記憶回路は、端子から入力されたデータを格納する機能と、格納しているデータを次段の前記フリップフロップの前記第３の記憶回路に転送する機能と、を有し、
前記第２の記憶回路及び前記第３の記憶回路は、電源供給が停止されている期間においてデータを保持する機能を有することを特徴とする半導体装置。
【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
基板の表面に洗浄液を供給する洗浄液供給部と、
洗浄液が供給された基板の表面に揮発性溶媒を供給し、基板の表面の洗浄液を揮発性溶媒に置換する溶媒供給部と、
揮発性溶媒が供給された基板を加熱する加熱手段と、
加熱手段による加熱作用で基板の表面に生成された揮発性溶媒の液玉を除去し、基板の表面を乾燥する乾燥手段とを有してなる基板処理装置であって、
前記加熱手段と前記乾燥手段を、前記溶媒供給部から搬出された基板の搬送過程に設けてなる基板処理装置。
【請求項２】
基板の表面に洗浄液を供給する工程と、
洗浄液が供給された基板の表面に揮発性溶媒を供給し、基板の表面の洗浄液を揮発性溶媒に置換する工程と、
揮発性溶媒が供給された基板を加熱する工程と、
基板の加熱によって基板の表面に生成された揮発性溶媒の液玉を除去し、基板の表面を乾燥する工程とを有してなる基板処理方法であって、
前記加熱する工程と前記乾燥する工程を、前記揮発性溶媒が供給された後の基板の搬送過程に有してなる基板処理方法。
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
導波路と、
電磁波が出射又は入射する前記導波路の部分に配置されている、前記電磁波を定在化する共振型アンテナと、
前記導波路と前記共振型アンテナとを結合するインピーダンス整合部と、を有し、
前記導波路は、前記電磁波に対する誘電率実部が負である第一及び第二の導体層と、前記第一及び第二の導体層の間に配置されているコア層と、を有し、
前記コア層は、前記電磁波の利得、又は、前記電磁波に対してキャリアの非線形性、を有し、
前記インピーダンス整合部は、前記導波路のインピーダンスと前記共振型アンテナのインピーダンスとの整合の程度を調整することを特徴とする素子。
【請求項２】
前記コア層は、前記第一及び第二の導体層に接し且つ半導体を含む積層構造を有することを特徴とする
請求項１に記載の素子。
【請求項３】
前記導波路の前記部分は、前記導波路の端部であることを特徴とする請求項１又は２に記載の素子。 
【請求項４】
前記インピーダンス整合部は、オフセット給電、λ／４整合回路、結合給電のいずれかにより入出力インピーダンスを調整する構造を有することを特徴とする
請求項１から３の何れか１項に記載の素子。
【請求項５】
前記共振型アンテナが前記インピーダンス整合部を兼ねることを特徴とする
請求項１から４の何れか１項に記載の素子。
【請求項６】
前記共振型アンテナはマイクロストリップアンテナ又はパッチアンテナであることを特徴とする
請求項１から５の何れか１項に記載の素子。
【請求項７】
前記共振型アンテナは、前記導波路を伝搬する前記電磁波の伝搬方向に対して鉛直上ないし下方向に前記電磁波を出射又は入射する構造を有することを特徴とする
請求項１から６の何れか１項に記載の素子。
【請求項８】
前記コア層は、キャリアのサブバンド間遷移によりテラヘルツ波を発生する多重量子井戸構造を含むことを特徴とする
請求項１から７の何れか１項に記載の素子。
【請求項９】
前記電磁波の真空中の波長をλ、前記導波路の等価屈折率をｎｅとして、λｇ＝λ／ｎｅと表すとき、前記第一の導体層と前記第二の導体層は、導波モードないし発振モードの管内波長（λg）以下の距離に近接することを特徴とする
請求項１から８の何れか１項に記載の素子。
【請求項１０】
前記コア層は、前記電磁波の利得を有し、
前記共振型アンテナは、前記電磁波が出射する前記導波路の部分に配置されており、
前記電磁波は、前記共振型アンテナから出射することを特徴とする
請求項１から９の何れか１項に記載の素子。
【請求項１１】
前記コア層は、前記電磁波に対してキャリアの非線形性を有し、
前記共振型アンテナは、前記電磁波が入射する前記導波路の部分に配置されており、
前記電磁波は、前記共振型アンテナから入射することを特徴とする
請求項１から９の何れか１項に記載の素子。
【請求項１２】
前記導波路は該導波路内で前記電磁波が共振する構造を有することを特徴とする
請求項１から１１の何れか１項に記載の素子。
【請求項１３】
前記導波路と前記インピーダンス整合部との界面においてインピーダンス不整合があることを特徴とする
請求項１から１２の何れか１項に記載の素子。
【請求項１４】
前記インピーダンス整合部がマイクロストリップラインで形成され、且つ該マイクロストリップラインの線幅と、該マイクロストリップラインと接地導体に挟まれた誘電体層の膜厚と、により前記インピーダンス整合部のインピーダンスを調整する構造を有することを特徴とする
請求項１から３及び６から１３の何れか１項に記載の素子。
【請求項１５】
前記導波路、前記共振型アンテナ及び前記インピーダンス整合部は、基板上に平面集積されていることを特徴とする
請求項１から１４のいずれか一項に記載の素子。
【請求項１６】
前記インピーダンス整合部は、λ／４整合回路を有することを特徴とする
請求項１から１５のいずれか一項に記載の素子。
【請求項１７】
前記インピーダンス整合部は、結合給電する構造を有することを特徴とする
請求項１から１６のいずれか一項に記載の素子。
【請求項１８】
前記共振型アンテナは、第１の導体と、第２の導体と、前記第１の導体と前記第２の導体との間に配置されている誘電体と、を有することを特徴とする
請求項１から１７のいずれか一項に記載の素子。
【請求項１９】
前記インピーダンス整合部は、前記第１の導体に切り込みを入れて、前記導波路を前記第１の導体と隔てて接続する構造を有することを特徴とする
請求項１８に記載の素子。
【請求項２０】
前記インピーダンス整合部は、前記導波路の一部が前記第１の導体と前記第２の導体との間に配置されている構造であることを特徴とする
請求項１８に記載の素子。
【請求項２１】
第１の導体層と、第２の導体層と、前記第１の導体層と前記第２の導体層との間に配置されているコア層と、を有する導波路と、
第１の導体と、第２の導体と、前記第１の導体と前記第２の導体との間に配置されている誘電体と、を有し、前記導波路の電磁波の伝搬方向における前記導波路の端面に配置されているアンテナと、
前記導波路と前記アンテナとの間に配置されているインピーダンス整合部と、を有し、
前記第２の導体層と前記第２の導体とは、前記伝搬方向に並んで接して配置されていることを特徴とする素子。
【請求項２２】
前記第１の導体層と前記第１の導体とは、前記伝搬方向に並んで配置されており、
前記第１の導体層と前記第１の導体とは、接して又は導体を介して接続されていることを特徴とする
請求項２１に記載の素子。
【手続補正２】
【補正対象書類名】明細書
【補正対象項目名】０００７
【補正方法】変更
【補正の内容】
【０００７】
上記課題に鑑みて、本発明の素子は、導波路と、前記電磁波を定在化する共振型アンテナと、前記導波路と前記共振型アンテナとを結合するインピーダンス整合部と、を有する。前記導波路は、前記電磁波に対する誘電率実部が負である第一及び第二の導体層と、前記第一及び第二の導体層の間に配置されているコア層と、を有し、前記コア層は、前記電磁波の利得、又は、前記電磁波に対してキャリアの非線形性、を有する。前記インピーダンス整合部は、前記導波路のインピーダンスと前記共振型アンテナのインピーダンスとの整合の程度を調整する。
【手続補正書】
【提出日】平成29年2月20日(2017.2.20)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
第１の論理素子と、第２の論理素子と、第１乃至第３のスイッチと、選択回路と、記憶回路と、を有し、
前記第１の論理素子の入力端子は、前記第１のスイッチの一方の端子と電気的に接続され、
前記第１の論理素子の入力端子は、前記第２の論理素子の出力端子と電気的に接続され、
前記第１の論理素子の入力端子は、前記記憶回路の第１の端子と電気的に接続され、
前記選択回路の第１の入力端子は、前記第１の論理素子の出力端子と電気的に接続され、
前記選択回路の第２の入力端子は、前記記憶回路の第２の端子と電気的に接続され、
前記選択回路の出力端子は、前記第２のスイッチの一方の端子と電気的に接続され、
前記選択回路の出力端子は、前記第３のスイッチの一方の端子と電気的に接続され、
前記選択回路の出力端子は、前記第２の論理素子の入力端子と電気的に接続され、
前記第１の論理素子は、論理反転することができる機能を有し、
前記第２の論理素子は、論理反転することができる機能を有し、
前記記憶回路は、チャネル形成領域が酸化物半導体膜を有する第１のトランジスタと、前記第１のトランジスタを介して電位が供給される容量素子と、を有することを特徴とする半導体装置。
【請求項２】
請求項１において、
前記記憶回路は、前記第１のトランジスタと、第２のトランジスタと、前記容量素子と、を有し、
前記第１のトランジスタのソース又はドレインの一方は、前記第２の論理素子の出力端子に電気的に接続され、
前記第１のトランジスタのソース又はドレインの他方は、前記容量素子の一方の電極と電気的に接続され、
前記第１のトランジスタのソース又はドレインの他方は、前記第２のトランジスタのゲートと電気的に接続され、
前記第２のトランジスタのソース又はドレインの一方は、前記選択回路の第２の入力端子と電気的に接続されていることを特徴とする半導体装置。
【請求項３】
請求項１または請求項２において、
前記第１の論理素子は、第２の入力端子に信号が入力される機能を有するＮＡＮＤであり、
前記第２の論理素子は、クロックドインバータであることを特徴とする半導体装置。
【請求項４】
請求項１乃至請求項３のいずれか一において、
前記酸化物半導体膜は、Ｉｎ、Ｇａ、及びＺｎを含むことを特徴とする半導体装置。
【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
ノード内の電気的障害を検出し予測する方法であって、
前記ノードの伝送信号を伝送するステップと、
前記伝送信号の基準伝送信号を生成するステップと、
前記ノードの前記伝送信号に対する実際の伝送信号を示す監視信号を受け取るステップと、
前記監視信号を前記基準伝送信号と比較するステップと、
前記比較結果が障害閾値を満たすとき障害と判定するステップと、
少なくともその後の検索のために前記障害を記録することにより、前記障害であるとの前記判定を指示するステップと、
を含む、方法。
【請求項２】
前記受け取るステップが、前記伝送信号と共にリアルタイムで前記監視信号を受け取るステップを含む、請求項１に記載の方法。
【請求項３】
前記受け取るステップが、前記実際の伝送信号を前記監視信号として受け取るステップを含む、請求項１に記載の方法。
【請求項４】
前記基準伝送信号が、前記伝送信号にリンクされている、請求項１に記載の方法。
【請求項５】
前記障害を記録するステップが、前記障害をメモリデバイスに格納するステップを含む、請求項１に記載の方法。
【請求項６】
前記比較結果が障害閾値を満たすことが、前記監視信号が障害閾値範囲の外側にあることを含む、請求項１に記載の方法。
【請求項７】
前記比較結果が障害閾値を満たすことが、前記監視信号が高障害閾値より大きいことを含む、請求項１に記載の方法。
【請求項８】
前記比較結果が障害閾値を満たすことが、前記監視信号が低障害閾値より小さいことを含む、請求項７に記載の方法。
【請求項９】
前記指示するステップのあとに前記障害を解除するステップをさらに含む、請求項１に記載の方法。
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
少なくとも当否判定を行う主制御装置と、該主制御装置からの命令に基づいて演出制御を行うサブ制御装置と、該サブ制御装置に接続され、遊技者が操作可能な操作手段とを備えた弾球遊技機であって、
前記主制御装置は、
始動口に遊技球が入球した際に乱数値を抽出する乱数値抽出手段と、
該乱数値抽出手段によって抽出した乱数値を所定個数を限度に記憶する保留記憶手段と、
該保留記憶手段に記憶された乱数値に応じて遊技者に有利な遊技状態である大当り遊技を発生させるか否かを判定する大当り判定手段と、
該保留記憶手段に記憶された乱数値に応じて大当り遊技終了後の遊技状態を決定する遊技状態決定手段と、
前記大当り判定結果を示す特別図柄の変動を表示する特別図柄表示装置の制御を行う特別図柄表示制御手段と、
前記サブ制御装置に、前記大当り判定手段による判定を行う前に前記保留記憶手段に記憶されている乱数値についての情報を送信する先読みコマンド送信手段と、
前記サブ制御装置に、前記大当り判定手段の判定結果、前記遊技状態決定手段の決定結果が含まれた表示制御コマンドを送信する表示制御コマンド送信手段と、
を備えたものであり、
前記サブ制御装置は、
前記保留記憶手段に前記乱数値が記憶されることに対応して保留図柄を表示する保留表示手段と、
前記先読みコマンド送信手段によって送信された先読みコマンドに応じて先読み演出を行うか否かを判定する先読み演出実行判定手段と、
を備えたものである弾球遊技機において、
前記先読み演出が、前記保留図柄により行われるものであり、該先読み演出として、前記大当り遊技の発生を示唆する大当り示唆演出と、前記大当り遊技終了後の遊技状態を示唆する遊技状態示唆演出を含む複数の前記先読み演出が存在し、
前記保留図柄により実行中の前記大当り示唆演出を、前記操作手段の操作により前記遊技状態示唆演出に変更する先読み演出変更手段
を備えたことを特徴とする弾球遊技機。
【手続補正２】
【補正対象書類名】明細書
【補正対象項目名】０００８
【補正方法】変更
【補正の内容】
【０００８】
上記課題を解決するためになされた請求項１記載の本発明は、少なくとも当否判定を行う主制御装置と、該主制御装置からの命令に基づいて演出制御を行うサブ制御装置と、該サブ制御装置に接続され、遊技者が操作可能な操作手段とを備えた弾球遊技機であって、 前記主制御装置は、 始動口に遊技球が入球した際に乱数値を抽出する乱数値抽出手段と、 該乱数値抽出手段によって抽出した乱数値を所定個数を限度に記憶する保留記憶手段と、該保留記憶手段に記憶された乱数値に応じて遊技者に有利な遊技状態である大当り遊技を発生させるか否かを判定する大当り判定手段と、該保留記憶手段に記憶された乱数値に応じて大当り遊技終了後の遊技状態を決定する遊技状態決定手段と、前記大当り判定結果を示す特別図柄の変動を表示する特別図柄表示装置の制御を行う特別図柄表示制御手段と、前記サブ制御装置に、前記大当り判定手段による判定を行う前に前記保留記憶手段に記憶されている乱数値についての情報を送信する先読みコマンド送信手段と、前記サブ制御装置に、前記大当り判定手段の判定結果、前記遊技状態決定手段の決定結果が含まれた表示制御コマンドを送信する表示制御コマンド送信手段と、を備えたものであり、前記サブ制御装置は、前記保留記憶手段に前記乱数値が記憶されることに対応して保留図柄を表示する保留表示手段と、前記先読みコマンド送信手段によって送信された先読みコマンドに応じて先読み演出を行うか否かを判定する先読み演出実行判定手段と、を備えたものである弾球遊技機において、前記先読み演出が、前記保留図柄により行われるものであり、該先読み演出として、前記大当り遊技の発生を示唆する大当り示唆演出と、前記大当り遊技終了後の遊技状態を示唆する遊技状態示唆演出を含む複数の前記先読み演出が存在し、前記保留図柄により実行中の前記大当り示唆演出を、前記操作手段の操作により前記遊技状態示唆演出に変更する先読み演出変更手段を備えたことを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００２２
【補正方法】変更
【補正の内容】
【００２２】
また、請求項１に記載の弾球遊技機によれば、一旦表示された大当り示唆演出の保留図柄を遊技状態示唆演出に変更できる。
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００９３
【補正方法】削除
【補正の内容】
【手続補正１４】
【補正対象書類名】明細書
【補正対象項目名】０１０７
【補正方法】変更
【補正の内容】
【０１０７】
前記実施例は、Ｓ７１０にて先読み演出を行うと判断された時には保留キャラクタを用いた演出を行うものであったが、保留キャラクタを用いない先読み演出を行なう場合もある構成にしてもよい。 また、遊技者の指示に応じ、保留キャラクタを遊技者が選べるモード（つまり前記実施例に近い態様）と、保留キャラクタを遊技者が選べないモード（従来の遊技機に近い態様）を選択できるように構成しても構わない。 このモード選択は、客待ち画面で選択可能としたり、先読み演出が行われていない状態ならばいつでも選択可能としたりすることが考えられる。 また、同様に、大当り示唆キャラクタのみが発生するモード、確率状態示唆キャラクタのみが発生するモード、出球唆保留キャラクタのみが発生するモードの中から選択できるように構成し直してもよい。
【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
固有範囲周期性にわたるいくつかの異なる長さのポリマーストリング材料の混合物を用いて、レジスト層を堆積させるステップと、
柔軟性を増加させるために、せん断誘導パターンを用いていくつかの異なる長さのポリマーストリング材料の混合物に刻み込むステップとを含み、
前記せん断誘導パターンは、内径における第１のパターンと、外径における第２のパターンとを含み、
前記第１のパターンは、前記第２のパターンよりも大きいクロストラックピッチを有し、
前記第１のパターンは、前記第２のパターンよりも小さいダウントラックピッチを有し、
前記第１のパターンの体積は、前記第２のパターンの体積に等しい、方法。
【請求項２】
いくつかの異なる長さのポリマーストリング材料は、ブロックコポリマー混合物の意図的非単分散を含み、
前記方法は、さらに、前記ブロックコポリマー混合物の意図的非単分散を用いて、多分散を作り出すステップを含む、請求項１に記載の方法。
【請求項３】
前記方法は、さらに、いくつかの異なる長さのポリマーストリング材料の混合物のＢＣＰ誘導自己組織化（ＤＳＡ）により、正方形の構成パターンおよび六角形の構成パターンを作り出すステップを含む、請求項１に記載の方法。
【請求項４】
前記方法は、さらに、いくつかの異なる長さのポリマーストリング材料の混合物により、球または円筒構成を作り出すステップを含む、請求項１に記載の方法。
【請求項５】
前記方法は、さらに、異なる長さのポリマーストリングにより、０．９５ＬO〜１．１０ＬOという値の固有周期性（ＬO）に関するドット構成間隔のスキューを生成するステップを含む、請求項１に記載の方法。
【請求項６】
前記せん断誘導パターンは、構成を含み、
前記方法は、さらに、トラック毎の±５％〜１０％の構成間の間隔を変化させるステップを含む、請求項１に記載の方法。
【請求項７】
前記せん断誘導パターンは、球または円筒構成を含み、
前記球または円筒構成のピッチは、トラックにおいて、隣接する内側トラックよりも大きい、請求項１に記載の方法。
【請求項８】
前記せん断誘導パターンは、球または円筒構成を含み、
前記球または円筒構成は、トラックを横断して、およびクロストラック方向において、一定数である、請求項１に記載の方法。
【請求項９】
パターン構成間隔のＸＬO間隔（Ｘ≒１．０５〜Ｘ≒１．１０）への掃引のために、いくつかの異なる長さのポリマーストリング材料の混合物の固有周期性（ＬO）を使用するステップをさらに含み、
トラックに沿ったおよびダウントラックの前記せん断誘導パターン内の構成の間隔を±５％〜１０％の範囲で伸長するステップをさらに含み、ここでＸ1ＬO＝１ＬO×１．０５、Ｘ2ＬO＝Ｘ1ＬO×１．０５、Ｘ3ＬO＝Ｘ2ＬO×１．０５、およびＸNＬO＝１ＬO×１．０５UNである、請求項１に記載の方法。
【請求項１０】
前記せん断誘導パターン内の構成のダウントラック間隔のスキューおよび伸長を生成して、−１５％〜−１８％から＋１５％〜＋１８％の変化の範囲で旋回する記録ヘッドのための円対称の湾曲に適応するステップをさらに備える、請求項１に記載の方法。
【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
マスク本体７、鼻孔及び／又は口の接触部８、シンナムアルデヒド若しくはシンナムアルデヒドを主成分とするシナモン抽出物を塗布又は含浸可能な吸着層９を含み、該吸着層９が該マスク本体７と該鼻孔及び／又は口の接触部８間に挟まれており、並びに、空気中で0.7mg/h〜5.0mg/hのシンナムアルデヒドを放散することを特徴するインフルエンザ予防用マスク。
【請求項２】
マスク本体７、鼻孔及び／又は口の接触部８、シンナムアルデヒド若しくはシンナムアルデヒドを主成分とするシナモン抽出物を塗布又は含浸可能な吸着層９を含み、該吸着層９が該マスク本体７と該鼻孔及び／又は口の接触部８間に挟まれており、並びに、室内の空間23.3m3当たりの空気中で0.7mg/h〜5.0mg/hのシンナムアルデヒドを放散することを特徴するインフルエンザ予防用マスク。
【手続補正書】
【提出日】平成29年3月16日(2017.3.16)
【手続補正１】
【補正対象書類名】明細書
【補正対象項目名】００１５
【補正方法】変更
【補正の内容】
【００１５】
かかる多孔質中空糸膜は、1本の多孔質中空糸膜または複数本の多孔質中空糸膜を束ねたものについて、その外周表面が4本以上、好ましくは4〜8本の繊維状物によって編み組みされて編物状とされる。編み組みは基本的には丸打ち紐作製の要領にて行われる。繊維の本数がこれより少ないと、編み組みを行うことができず、また編み組が密に行われあるいは本数を多くすることで、空隙の割合がこれより少なくなってしまうと多孔質中空糸膜本来の性能、すなわち流体の透過性能が著しく低下してしまうため好ましくない。なお、編み組みする際の多孔質中空糸膜の本数は、多孔質中空糸膜の径や材質、あるいは用途によって適宜設定することができ、特に限定されるものではないが、より一層強度を向上させるといった観点からは、好ましくは複数本、例えば3本以上の多孔質中空糸膜束が用いられる。
【手続補正２】
【補正対象書類名】明細書
【補正対象項目名】００１８
【補正方法】変更
【補正の内容】
【００１８】
また、多孔質中空糸膜(束)外表面の繊維状物の存在は、多孔質中空糸膜束内を流れる流体の乱流を生じさせることも可能となり、これによって多孔質中空糸膜表面に絶えず新しい流体が接触するため、加湿用途の多孔質中空糸膜にあってはその加湿効率を高めることが可能となり、ろ過用途の多孔質中空糸膜の場合にもろ過効率を向上せしめることができるといった効果も奏する。
【手続補正３】
【補正対象書類名】明細書
【補正対象項目名】００２３
【補正方法】変更
【補正の内容】
【００２３】
実施例１
水蒸気透過係数が0.290g/cm2・分・MPag、空気透過性が2cm3/cm2・分・100kPagのポリフェニルスルホン樹脂製多孔質中空糸膜(直径750μm、内径525μm)4本の外側を8本のポリエステル製糸(東レ製品テトロン；糸繊度280デシテックス)を用いて、毎分1mの速さで編み組みした。得られた編物補強多孔質中空糸膜束は、図１に示される。
【手続補正４】
【補正対象書類名】明細書
【補正対象項目名】００２８
【補正方法】変更
【補正の内容】
【００２８】
実施例２
純水透過係数が16g/cm2・時間・100kPag、分画分子量(90％阻止性能)120,000のポリスルホン樹脂製多孔質中空糸膜(直径1500μm、内径900μm)3本の外側を、8本のポリエステル製糸(東レ製品テトロン；糸繊度280デシテックス)を用いて、毎分1mの速さで編み組みを行い、編物補強多孔質中空糸膜束を得た。
【手続補正５】
【補正対象書類名】特許請求の範囲
【補正対象項目名】請求項５
【補正方法】変更
【補正の内容】
【請求項５】
１本または複数本の多孔質中空糸膜の外周表面に、4本以上の繊維状物を編み組みしながら編組することを特徴とする繊維補強多孔質中空糸膜の製造方法。
【手続補正６】
【補正対象書類名】特許請求の範囲
【補正対象項目名】請求項６
【補正方法】変更
【補正の内容】
【請求項６】
１本または複数本の多孔質中空糸膜の外周表面に、4〜8本の繊維状物を編み組みしながら編組する請求項５記載繊維補強多孔質中空糸膜の製造方法。